(57)【特許請求の範囲】
【請求項１】
グリル庫に出し入れ自在なグリル皿上に焼き網を支持するグリル用焼き網の支持装置であって、
焼き網の前後両端に垂設した各脚片の下縁に下方に突出する爪部が設けられ、グリル皿の前後両端の各フランジ部に形成した係合孔に上方から爪部を挿入した状態で各脚片を各フランジ部に着座させて焼き網を支持するものにおいて、
焼き網の前後一端の脚片を第１脚片、前後他端の脚片を第２脚片とし、グリル皿の前後両端のフランジ部のうち第１脚片と同じ側のフランジ部を第１フランジ部、第２脚片と同じ側のフランジ部を第２フランジ部として、
第１フランジ部の係合孔は、第１脚片の爪部の一箇所のみが挿入される部分に孔幅が爪部の厚さと同等の幅狭部を有し、幅狭部に挿入される箇所以外の爪部の部分が挿入される係合孔の部分は、爪部の当該部分が厚さ方向の遊びを存して挿入されるように幅広に形成され、
第２フランジ部の係合孔は、第２脚片の爪部がその全体に亘り厚さ方向の遊びを存して挿入されるように幅広に形成されることを特徴とするグリル用焼き網の支持装置。
【請求項２】
前記第１脚片の爪部の下縁は、高さの異なる箇所を有する形状に形成され、前記第１フランジ部の係合孔の前記幅狭部は、第１脚片の爪部の下縁の高さが高い一箇所が挿入される部分であることを特徴とする請求項１記載のグリル用焼き網の支持装置。
【発明の詳細な説明】
【技術分野】
【０００１】
本発明は、グリル庫に出し入れ自在なグリル皿上に焼き網を支持するグリル用焼き網の支持装置に関する。
【背景技術】
【０００２】
従来、この種の支持装置として、焼き網の前後両端に垂設した各脚片の下縁に下方に突出する爪部が設けられ、グリル皿の前後両端の各フランジ部に形成した係合孔に上方から爪部を挿入した状態で各脚片を各フランジ部に着座させて焼き網を支持するものが知られている。
【０００３】
ところで、グリル皿を出し入れする際に、焼き網のガタツキによるガタ音が発生すると商品性が損なわれる。ここで、グリル皿の各フランジ部の係合孔の孔幅を焼き網の各脚片の爪部の厚さと同等になるように形成すれば、焼き網のガタツキを防止することができる。然し、これでは、焼き網の前後両端の脚片間の距離が製造公差の範囲内でばらついた場合、グリル皿の前後一端のフランジ部の係合孔に焼き網の前後一端の脚片の爪部を挿入できても、グリル皿の前後他端のフランジ部の係合孔に焼き網の前後他端の脚片の爪部を挿入できなくなってしまう。
【０００４】
そこで、従来、特許文献１により、焼き網の前後両端の脚片間の距離がばらついても、焼き網をガタツキなく支持できるように、各フランジ部の係合孔を幅広に形成すると共に、焼き網の少なくとも前後一端の脚片の爪部にその厚さ方向にオフセットしたオフセット部を形成し、この爪部を対応する係合孔に挿入する際に、オフセット部が係合孔の孔縁に圧接して、焼き網のガタツキが防止されるようにしたものが知られている。
【０００５】
然し、このものでは、焼き網のセット時に、焼き網を上方から押さないと、爪部のオフセット部が係合孔内に入り込まず、焼き網が傾いてしまう。そのため、焼き網を上方から押してセットすることが必要になり、焼き網のセット作業性が悪くなってしまう。
【先行技術文献】
【特許文献】
【０００６】
【特許文献１】特開平１１−４６９９５号公報
【発明の概要】
【発明が解決しようとする課題】
【０００７】
本発明は、以上の点に鑑み、焼き網をガタツキなく作業性良くセットできるようにしたグリル用焼き網の支持装置を提供することをその課題としている。
【課題を解決するための手段】
【０００８】
上記課題を解決するために、本発明は、グリル庫に出し入れ自在なグリル皿上に焼き網を支持するグリル用焼き網の支持装置であって、焼き網の前後両端に垂設した各脚片の下縁に下方に突出する爪部が設けられ、グリル皿の前後両端の各フランジ部に形成した係合孔に上方から爪部を挿入した状態で各脚片を各フランジ部に着座させて焼き網を支持するものにおいて、焼き網の前後一端の脚片を第１脚片、前後他端の脚片を第２脚片とし、グリル皿の前後両端のフランジ部のうち第１脚片と同じ側のフランジ部を第１フランジ部、第２脚片と同じ側のフランジ部を第２フランジ部として、第１フランジ部の係合孔は、第１脚片の爪部の一箇所のみが挿入される部分に孔幅が爪部の厚さと同等の幅狭部を有し、幅狭部に挿入される箇所以外の爪部の部分が挿入される係合孔の部分は、爪部の当該部分が厚さ方向の遊びを存して挿入されるように幅広に形成され、第２フランジ部の係合孔は、第２脚片の爪部がその全体に亘り厚さ方向の遊びを存して挿入されるように幅広に形成されることを特徴とする。
【０００９】
本発明によれば、第１脚片の爪部の一箇所を第１フランジ部の係合孔の爪部の厚さと同等の幅狭部に挿入することで、第１脚片が第１フランジ部に対し動かなくなり、焼き網のガタツキが防止される。ここで、焼き網の前後両端の脚片間の距離が製造公差でばらつくと、第２脚片の位置が第２フランジ部に対し前後方向にずれるが、第２フランジ部の幅広の係合孔と第２脚片の爪部との間の遊びによってこのずれが吸収される。従って、焼き網を上方から押さなくても、焼き網をガタツキなく作業性良くグリル皿上にセットできる。
【００１０】
また、本発明によれば、爪部が前後方向に捩じれていても、第１フランジ部の係合孔の幅狭部に挿入されるのは第１脚片の爪部の一箇所だけであるため、爪部全体が係合孔に無理なく挿入される。
【００１１】
この場合、第１脚片の爪部の下縁は、高さの異なる箇所を有する形状に形成され、第１フランジ部の係合孔の前記幅狭部は、第１脚片の爪部の下縁の高さが高い一箇所が挿入される部分であることが望ましい。これによれば、第１フランジ部の係合孔に第１脚片の爪部を挿入する際、先ず、係合孔の幅広い部分に爪部の下縁の高さの低い部分が挿入され、爪部の下縁の高さの高い一箇所が、先行して係合孔に挿入される爪部の部分による案内作用で、係合孔の幅狭部に合致するように位置合わせされる。そのため、爪部を係合孔に対し挿入前に前後方向に位置合わせしなくても、係合孔の幅狭部に爪部の上記一箇所を係合させることができ、焼き網のセット作業性が一層向上する。
【図面の簡単な説明】
【００１２】
【図１】本発明の実施形態の支持装置を具備するグリルの断面図。
【図２】図１のグリルに設けられたグリル皿と焼き網の分離状態の斜視図。
【図３】図１のグリルに設けられたグリル皿の要部の拡大平面図。
【発明を実施するための形態】
【００１３】
図１を参照して、１はコンロ、２はコンロ１に組み込んだグリルを示している。このグリル２は、グリル庫３と、グリル庫３の前面開口を開閉するグリル扉４と、グリル扉４に連結されて、グリル扉４の開閉操作に連動してグリル庫３に出し入れされるグリル皿５とを備えている。グリル皿５上には焼き網６が支持されており、焼き網６に載せた被調理物がグリル庫３の天井部に装着された上火バーナ３１で焼成されるようにしている。
【００１４】
グリル皿５の前後両端にはフランジ部５１、５２が設けられている。そして、グリル皿５の前端のフランジ部５１の前縁に下方に屈曲する係止片部５３を設け、この係止片部５３をグリル扉４の裏板部に取付けた側面視コ字状の板バネ製連結金具４１の上下の片４１ａ、４１ｂ間に挟み込んで、グリル皿５をグリル扉４に連結している。
【００１５】
図２も参照して、焼き網６の前後両端には脚片６１、６２が垂設されている。また、各脚片６１、６２の下縁に下方に突出する爪部６１１、６２１を設けると共に、グリル皿５の前後両端のフランジ部５１、５２に爪部６１１、６２１に対応する係合孔５１１、５２１を形成している。そして、各フランジ部５１、５２の係合孔５１１、５２１に上方から各脚片６１、６２の爪部６１１、６２１を挿入した状態で各脚片６１、６２を各フランジ部５１、５２に着座させて、グリル皿５上に焼き網６を支持している。
【００１６】
尚、焼き網６の前後の各端部に取付ける下方にのびる板材で各脚片６１、６２を構成することも可能であるが、本実施形態では、各脚片６１、６２を、焼き網６の左右両側の棒材の前後の各端部を下方に折り曲げて形成した左右の縦棒部６１ａ，６１ａ、６２ａ，６２ａと、これら両縦棒部６１ａ，６１ａ、６２ａ，６２ａの下端を結ぶ横棒部６１ｂ、６２ｂとで構成している。そして、横棒部６１ｂ、６２ｂの左右の各端部に、左右の各縦棒部６１ａ、６２ａに連続して下方にＵ字状に湾曲した部分を曲成し、この湾曲部分で各爪部６１１、６２１を構成している。各爪部６１１、６２１の下縁は、高さの異なる箇所を有する形状、即ち、横方向中央部が最も低く、横方向両側部が最も高い形状に形成される。
【００１７】
また、各フランジ部５１、５２に、各脚片６１、６２の左右一対の爪部６１１，６１１、６２１，６２１に対応する左右一対の係合孔５１１，５１１、５２１，５２１を形成している。更に、各フランジ部５１、５２に、各係合孔５１１、５２１の横方向内側に隣接して上方に盛り上がる受座５１２、５２２を形成し、この受座５１２、５２２に各脚片６１、６２の横棒部６１ｂ、６２ｂが着座するようにしている。
【００１８】
以下、焼き網６の前端の脚片６１を第１脚片、後端の脚片６２を第２脚片とし、グリル皿５の前後両端のフランジ部のうち第１脚片６１と同じ側である前端のフランジ部５１を第１フランジ部、第２脚片６２と同じ側である後端のフランジ部５２を第２フランジ部として説明する。
【００１９】
第１フランジ部５１の係合孔５１１は、図３に明示する如く、第１脚片６１の爪部６１１の一箇所、より具体的には、爪部６１１の下縁の高さが高い横方向外側の一箇所のみが挿入される部分に孔幅が爪部６１１の厚さと同等の幅狭部５１１ａを有し、幅狭部５１１ａに挿入される箇所以外の爪部６１１の部分が挿入される係合孔５１１の部分は、爪部６１１の当該部分が厚さ方向の遊びを存して挿入されるように幅広に形成されている。また、第２フランジ部５２の係合孔５２１は、第２脚片６２の爪部６２１がその全体に亘り厚さ方向の遊びを存して挿入されるように幅広に形成されている。
【００２０】
本実施形態によれば、第１脚片６１の爪部６１１の一箇所を第１フランジ部５１の係合孔５１１の幅狭部５１１ａに挿入することで、第１脚片６１が第１フランジ部５１に対し動かなくなり、焼き網６のガタツキが防止される。ここで、焼き網６の前後両端の脚片６１、６２間の距離が製造公差でばらつくと、第２脚片６２の位置が第２フランジ部５２に対し前後方向にずれるが、第２フランジ部５２の幅広の係合孔５２１と第２脚片６２の爪６２１部との間の遊びによってこのずれが吸収される。従って、焼き網６を上方から押さなくても、焼き網６をガタツキなく作業性良くグリル皿５上にセットできる。
【００２１】
尚、第１フランジ部５１の係合孔５１１全体を幅狭部５１１ａと同じ幅で形成することも可能であるが、これでは、加工誤差で第１脚片６１の爪部６１１が前後方向に捩じれていた場合、係合孔５１１に爪部６１１を挿入できなくなる。これに対し、本実施形態では、第１脚片６１の爪部６１１が捩じれていても、第１フランジ部５１の係合孔５１１の幅狭部５１１ａに挿入されるのは第１脚片６１の爪部６１１の一箇所だけであるため、爪部６１１全体が係合孔５１１に無理なく挿入される。
【００２２】
また、本実施形態では、第１フランジ部５１の係合孔５１１に第１脚片６１の爪部６１１を挿入する際、先ず、係合孔５１１の幅広い部分に爪部６１１の下縁の高さの低い部分が挿入され、爪部６１１の下縁の高さが高い一箇所が、先行して係合孔５１１に挿入される爪部６１１の部分による案内作用で、係合孔５１１の幅狭部５１１ａに合致するように位置合わせされる。そのため、爪部６１１を係合孔５１１に対し挿入前に前後方向に位置合わせしなくても、係合孔５１１の幅狭部５１１ａに爪部６１１の上記一箇所を係合させることができ、焼き網６のセット作業性が一層向上する。
【００２３】
以上、本発明の実施形態について図面を参照して説明したが、本発明はこれに限定されない。例えば、上記実施形態では、第１フランジ部５１の係合孔５１１の幅狭部５１１ａからある程度離れた部分を一定幅の幅広部に形成しているが、幅狭部５１１ａから離れるにしたがって孔幅が次第に広がるように係合孔５１１を形成してもよい。
【００２４】
また、上記実施形態では、グリル皿５の前端のフランジ部５１を第１フランジ部として、このフランジ部５１の係合孔５１１を幅狭部５１１ａ付きのものとしているが、グリル皿５の後端のフランジ部５２を第１フランジ部として、このフランジ部５２の係合孔５２１を幅狭部付きのものとすることも可能である。また、上記実施形態は、コンロ１に組み込むグリル２用の焼き網支持装置に本発明を適用したものであるが、コンロから分離独立して設けるグリル用の焼き網支持装置にも同様に本発明を適用できる。
【符号の説明】
【００２５】
２…グリル、３…グリル庫、５…グリル皿、５１…前端のフランジ部（第１フランジ部）、５１１…係合孔、５１１ａ…幅狭部、５２…後端のフランジ部（第２フランジ部）、６…焼き網、６１…前端の脚片（第１脚片）、６１１…爪部、６２…後端の脚片（第２脚片）、６２１…爪部。
【図１】
0005888752.tif 000002
【図２】
0005888752.tif 000003
【図３】
0005888752.tif 000004